(57)【要約】【課題】レーザを使用する装置において、高速な処理によって制御を行う。【解決手段】光源装置は、光射出部と、センサと、デジタルシグナルプロセッサと、電流制御部と、を備える。光射出部は、電流を供給されてレーザ光を射出する。センサは、レーザ光の光量を測定するためのセンサであって、光量に応じた第１のアナログ信号を出力する。デジタルシグナルプロセッサは、第１のアナログ信号を受け取って、第１のアナログ信号に基づいてデジタル処理を行って第２のアナログ信号を生成し、第２のアナログ信号を出力する。電流制御部は、第２のアナログ信号を受け取って、光射出部に供給される電流を第２のアナログ信号に基づいて制御する。このような態様とすれば、外部のＡ／Ｄ変換を経ずに、レーザ光の光量に基づいてレーザ光を射出するための電流を制御することができる。このため、レーザ光の光量を、高速な処理によって制御することができる。【選択図】図１
2008192864.tif 000002
【特許請求の範囲】
【請求項１】
電流を供給されてレーザ光を射出する光射出部と、
前記レーザ光の光量を測定するための第１のセンサであって、前記光量に応じた第１のアナログ信号を出力する第１のセンサと、
前記第１のアナログ信号を受け取って、前記第１のアナログ信号に基づいてデジタル処理を行って第２のアナログ信号を生成し、前記第２のアナログ信号を出力する、デジタルシグナルプロセッサと、
前記第２のアナログ信号を受け取って、前記光射出部に供給される電流を前記第２のアナログ信号に基づいて制御する電流制御部と、を備える、光源装置。
【請求項２】
請求項１記載の光源装置であって、
前記光射出部は、前記電流としてパルス電流を供給されて前記レーザ光を射出することができ、
前記第２のアナログ信号は、互いに異なる第３および第４のアナログ信号を含み、
前記電流制御部は、
前記光射出部に供給される電流を前記第３のアナログ信号にしたがってＯＮおよびＯＦＦして、前記パルス電流を生成するスイッチ部と、
前記光射出部に供給される電流の電圧を前記第４のアナログ信号にしたがって制御するための電圧制御部と、を備える、光源装置。
【請求項３】
請求項２記載の光源装置であって、
前記光射出部は、
光を射出するレーザダイオードと、
前記レーザダイオードから射出された光の少なくとも一部を、異なる波長の光に変換する波長変換部と、を備え、
前記光源装置は、さらに、
前記波長変換部の温度を測定するための第２のセンサであって、前記温度に応じた第５のアナログ信号を出力する第２のセンサと、
第６のアナログ信号を受け取って、前記第６のアナログ信号にしたがって前記波長変換部の温度を制御する温度制御部と、を備え、
前記デジタルシグナルプロセッサは、さらに、
前記第５のアナログ信号を受け取って、前記第２および第５のアナログ信号に基づいてデジタル処理を行って前記第６のアナログ信号を生成し、前記第６のアナログ信号を出力する、光源装置。
【請求項４】
請求項３記載の光源装置であって、
前記デジタルシグナルプロセッサは、さらに、前記第５のアナログ信号に基づいてデジタル処理を行って、前記第４のアナログ信号を生成する、光源装置。
【請求項５】
請求項３または４記載の光源装置であって、
前記デジタルシグナルプロセッサは、さらに、前記第５のアナログ信号に基づいてデジタル処理を行って、前記第３のアナログ信号を生成する、光源装置。
【請求項６】
明るさが異なる光で画像を表示することができる表示装置であって、
請求項１ないし５のいずれかに記載の光源装置と、
前記レーザ光を受け取って、前記レーザ光のうち印加される駆動電圧に応じた量の光を射出する表示素子と、を備える表示装置。
【発明の詳細な説明】
【技術分野】
【０００１】
この発明は、所定の波長のレーザ光を射出する装置において、高速な制御を行うための技術に関する。
【背景技術】
【０００２】
従来より、所定の波長の光を射出するための光源として、レーザを使用する技術が存在する（特許文献１）。
【０００３】
【特許文献１】特開２００５−９９１６０号公報
【０００４】
上記の技術においては、レーザ光の光量や波長を制御するために、デジタル演算を行うＣＰＵを使用することが好ましい。
【０００５】
しかし、デジタル演算を行う汎用のＣＰＵは、光量を測定するセンサからのアナログ信号を直接受け取って処理することはできない。このため、ＣＰＵは、センサからのアナログ信号をＡ／Ｄ変換器を介して受け取る。
【０００６】
また、デジタル演算を行う汎用のＣＰＵは、アナログ信号を出力できない。このため、ＣＰＵは、光源に供給される電流を制御するための回路を直接、制御することはできない。よって、ＣＰＵは、Ｄ／Ａコンバータ、ならびにアナログ信号を受け取ってアナログ信号を出力するアナログ制御回路を介して、光源に供給される電流を制御する。
【０００７】
すなわち、従来の技術においては、Ａ／Ｄ変換およびＤ／Ａ変換を行って信号を送受信し、さらに、アナログ制御回路を介して制御を行って、レーザの光量を制御している。このため、レーザを使用する光源装置は、高速な処理によってレーザの光量を制御することが困難であった。このような問題は、光量の制御に限らず、レーザを使用する装置における様々な制御において生じる。
【発明の開示】
【発明が解決しようとする課題】
【０００８】
本発明は、レーザを使用する装置において、高速な処理によって制御を行うことを目的とする。
【課題を解決するための手段】
【０００９】
上記目的を達成するために、本発明は、一態様としての光源装置において以下のような構成を備える。この光源装置は、光射出部と、第１のセンサと、デジタルシグナルプロセッサと、電流制御部と、を備える。
【００１０】
光射出部は、電流を供給されてレーザ光を射出する。第１のセンサは、レーザ光の光量を測定するための第１のセンサであって、光量に応じた第１のアナログ信号を出力する。デジタルシグナルプロセッサは、第１のアナログ信号を受け取って、第１のアナログ信号に基づいてデジタル処理を行って第２のアナログ信号を生成し、第２のアナログ信号を出力する。電流制御部は、第２のアナログ信号を受け取って、光射出部に供給される電流を第２のアナログ信号に基づいて制御する。
【００１１】
なお、本明細書において、「デジタルシグナルプロセッサ」とは、アナログ信号を受け取って、そのアナログ信号を内部でデジタル処理し、そのデジタル処理の結果に基づいてアナログ信号を出力する１チップのデバイスである。
【００１２】
このような態様とすれば、外部のＡ／Ｄ変換を経ずに、レーザ光の光量に基づいてレーザ光を射出するための電流を制御することができる。このため、レーザ光の光量を、高速な処理によって制御することができる。
【００１３】
なお、光射出部は、電流としてパルス電流を供給されてレーザ光を射出することができることが好ましい。そして、第２のアナログ信号は、互いに異なる第３および第４のアナログ信号を含むことが好ましい。そのような態様において、電流制御部は、光射出部に供給される電流を第３のアナログ信号にしたがってＯＮおよびＯＦＦして、パルス電流を生成するスイッチ部と、光射出部に供給される電流の電圧を第４のアナログ信号にしたがって制御するための電圧制御部と、を備えることが好ましい。
【００１４】
このような態様とすれば、レーザ光の光量に基づいて、レーザ光を射出するためのパルス電流のＯＮおよびＯＦＦの時間と、電圧と、を制御することができる。このため、ほぼ一定の電圧で電流を供給してその電圧を制御する態様に比べて、より多くの要請を考慮した高度な制御を、光射出部に供給される電流について行うことができる。なお、「パルス電流」とは、ＯＮとＯＦＦが交互に繰り返される電流である。
【００１５】
また、光射出部は、光を射出するレーザダイオードと、レーザダイオードから射出された光の少なくとも一部を、異なる波長の光に変換する波長変換部と、を備える態様とすることができる。そして、光源装置は、さらに、波長変換部の温度を測定するための第２のセンサであって、温度に応じた第５のアナログ信号を出力する第２のセンサと、第６のアナログ信号を受け取って、第６のアナログ信号にしたがって波長変換部の温度を制御する温度制御部と、を備えることが好ましい。そして、デジタルシグナルプロセッサは、さらに、第５のアナログ信号を受け取って、第２および第５のアナログ信号に基づいてデジタル処理を行って第６のアナログ信号を生成し、第６のアナログ信号を出力することが好ましい。
【００１６】
波長変換素子には、温度の変化によって変換できる波長が変化しやすいものがあり、その場合特定の波長に対する変換効率が変化する。変換効率が変化すれば、レーザ光の光量が変化する。上記のような態様とすれば、そのような波長変換素子に起因して生じるレーザ光の光量の変化を考慮して、波長変換部の温度を制御することができる。
【００１７】
なお、デジタルシグナルプロセッサは、さらに、第５のアナログ信号に基づいてデジタル処理を行って、電圧を制御するための第４のアナログ信号を生成することが好ましい。
【００１８】
このような態様とすれば、射出されるレーザ光に影響を与える波長変換部の温度を考慮して、レーザ光を射出させるためのパルス電流の電圧を制御することができる。
【００１９】
また、デジタルシグナルプロセッサは、さらに、第５のアナログ信号に基づいてデジタル処理を行って、第３のアナログ信号を生成することが好ましい。
【００２０】
このような態様とすれば、射出されるレーザ光に影響を与える波長変換部の温度を考慮して、レーザ光を射出させるためのパルス電流の波形を制御することができる。
【００２１】
なお、本発明の一態様として、明るさが異なる光で画像を表示することができる表示装置を構成する場合には、以下のような態様とすることが好ましい。この表示装置は、上述の光源装置と、レーザ光を受け取って、受け取ったレーザ光のうち印加される駆動電圧に応じた量の光を射出する表示素子と、を備える。
【００２２】
このような態様とすれば、光源の光の光量および色が安定した表示装置を得ることができる。そのような表示装置は、表示する画像の品質が安定している。
【００２３】
なお、本発明は、種々の形態で実現することが可能であり、例えば、レーザ駆動回路、レーザ光源装置、照明装置、画像を投射するためのプロジェクタ、ならびにそれらの機器の制御方法、等の形態で実現することができる。
【発明を実施するための最良の形態】
【００２４】
Ａ．第１実施例：
Ａ１．第１実施例の構成：
図１は、本発明の一実施形態である光源装置１の構成を示すブロック図である。光源装置１は、レーザ光Ｌ３を射出する光射出部１０と、光射出部１０に供給される電流Ｉ２をＯＮ（接続）およびＯＦＦ（遮断）する第１のスイッチ回路２０と、光射出部１０に供給される電流の電圧を制御するためのＤＣ／ＤＣコンバータ３０と、ＡＣ電源から供給される交流電流を直流電流に変換するＡＣ／ＤＣ電源装置４０と、を備えている。
【００２５】
光射出部１０は、パルス電流Ｉ２を供給されてレーザ光Ｌ３を射出する。光射出部１０は、レーザダイオード１２と、波長変換素子１４と、外部共振器１６とを備えている。
【００２６】
レーザダイオード１２は、パルス電流Ｉ２を供給されて赤外光Ｌ１を射出する。波長変換素子１４は、赤外光Ｌ１を受け取って、そのうちの少なくとも一部を半分の波長の光Ｌ２に変換して射出する。波長変換素子１４は、より具体的には、２次高調波の生成（ＳＨＧ：Second Harmonic Generation）により、半分の波長の光を生成する。
【００２７】
外部共振器１６は、レーザダイオード１２との間で光を共振させて、特定の波長の光Ｌ３を射出する。外部共振器１６から射出される光Ｌ３はコヒーレントである。また、本実施例においては、外部共振器１６から射出される光Ｌ３は可視光である。
【００２８】
なお、波長変換素子１４は、セラミック結晶体で、多数の分極層で構成される。波長変換素子１４は、各分極層間で光を共振させることによって受け取った光から１／２波長の光を取り出す。しかし、環境温度が変化したり、波長変換素子１４自身が発熱することによって、セラミック結晶の分極層の厚みが変化すると、波長変換素子１４によって１／２波長の光を取り出すことができなくなる。このため、後述するように、波長変換素子１４は、温度制御部６０によってその温度を制御されている。
【００２９】
ＡＣ／ＤＣ電源装置４０は、ＡＣ電源から供給される交流電流を直流電流Ｉ５に変換する。ＡＣ電源から供給される交流電流の電圧は、たとえば１００Ｖである。変換後の直流電流Ｉ５の電圧は、たとえば１２Ｖである。
【００３０】
ＤＣ／ＤＣコンバータ３０は、アナログのパルス幅を持つパルス信号Ａｃ４を受け取って、パルス信号Ａｃ４に応じて直流電流Ｉ５をより低い電圧を有する直流電流Ｉ３に変換する。直流電流Ｉ３の電圧Ｖ３は可変である。電圧Ｖ３は、ＤＣ／ＤＣコンバータ３０によって、たとえば２〜１０Ｖに制御される。ＤＣ／ＤＣコンバータ３０は、第２のスイッチ回路３２と、フィルター回路３４とを有する。
【００３１】
第２のスイッチ回路３２は、アナログのパルス幅を持つパルス信号Ａｃ４に応じて直流電流Ｉ５のＯＮおよびＯＦＦをくり返し、パルス電流Ｉ４を生成する。フィルター回路３４は、パルス電流Ｉ４をならして、ほぼ一定の電圧を有する直流電流Ｉ３を生成する。直流電流Ｉ３の電圧Ｖ３は、第２のスイッチ回路３２が直流電流Ｉ５をＯＮしている時間とＯＦＦしている時間との比によって決まる。すなわち、直流電流Ｉ３の電圧Ｖ３は、第２のスイッチ回路３２が受け取るパルス信号Ａｃ４によって定められる。
【００３２】
第１のスイッチ回路２０は、アナログのパルス幅を持つパルス信号Ａｃ２を受け取る。そして、第１のスイッチ回路２０は、パルス信号Ａｃ２に応じて直流電流Ｉ３のＯＮおよびＯＦＦをくり返し、パルス電流Ｉ２を生成する。レーザダイオード１２は、このパルス電流Ｉ２を供給されて赤外光Ｌ１を射出する。
【００３３】
このような構成とすることで、レーザ光Ｌ３の射出および停止と、レーザ光Ｌ３の光量の制御とを、同じ第１のスイッチ回路２０で行うことができる。このため、レーザ光Ｌ３の射出および停止と、レーザ光Ｌ３の光量の制御とを、それぞれ独自の回路で行う態様に比べて、光源装置を簡易な構成とすることができる。
【００３４】
これら第１のスイッチ回路２０と、ＤＣ／ＤＣコンバータ３０とによって、光射出部１０に供給される電流が制御される。
【００３５】
光源装置１は、さらに、光センサ５０と、温度制御部６０を有している。
【００３６】
光センサ５０は、光射出部１０から射出される光Ｌ３の光量を測定するためのセンサである。光センサ５０は、たとえば、フォトダイオードとすることができる。光センサ５０は、光Ｌ３の光量に応じた電圧を有するアナログ信号Ａｓ１を出力する。光センサ５０は、光源装置１内において、たとえば、光Ｌ３を受け取る光学素子からの散乱光を受けるように配することができる。
【００３７】
温度制御部６０は、波長変換素子１４の温度を制御する。温度制御部６０は、ヒータ６２と、温度センサ６４とを備えている。
【００３８】
温度制御部６０は、アナログのパルス幅を持つパルス信号Ａｃ６を受け取る。そして、温度制御部６０は、電力を供給され、パルス信号Ａｃ６に応じてヒータ６２に流す電流をＯＮおよびＯＦＦし、波長変換素子１４を加熱する。温度制御部６０によって、波長変換素子１４の温度は約９０度Ｃ前後に保たれる。
【００３９】
温度センサ６４は、波長変換素子１４の温度を測定するためのセンサである。温度センサ６４は、波長変換素子１４の温度に応じた電圧を有するアナログ信号Ａｓ２を出力する。
【００４０】
光源装置１は、さらに、ＤＳＰ（Digital Signal Processor）７０を有している。このＤＳＰ７０は、直流電流の電圧を制御するための回路を備えたＤＳＰである。具体的には、ＤＳＰ７０は、演算回路７２と、フラッシュメモリ７３と、Ａ／Ｄコンバータ部７４，７５と、デジタル信号をアナログのパルス幅信号に変換する第１〜第３のＰＷＭ制御部７６，７７，７８とを備えている。
【００４１】
ＤＳＰ７０は、光センサ５０からアナログ信号Ａｓ１を受け取る。また、ＤＳＰ７０は、温度センサ６４からアナログ信号Ａｓ２を受け取る。さらに、ＤＳＰ７０は、パルス電流Ｉ２の電圧Ｖ２をモニタしている。
【００４２】
ＤＳＰ７０のフラッシュメモリ７３は、演算回路７２が実行するプログラムを格納している。また、フラッシュメモリ７３は、演算回路７２がそのプログラムを実行する際に使用される。演算回路７２がそのプログラムを実行することにより、以下で説明する処理が実現される。
【００４３】
ＤＳＰ７０のＡ／Ｄコンバータ部７４は、光センサ５０からのアナログ信号Ａｓ１をデジタル信号に変換して、演算回路７２に供給する。ＤＳＰ７０のＡ／Ｄコンバータ部７５は、温度センサ６４からのアナログ信号Ａｓ２をデジタル信号に変換して、演算回路７２に供給する。
【００４４】
演算回路７２は、デジタル演算を行う回路である。演算回路７２は、乗算を行うことができる。演算回路７２は、Ａ／Ｄコンバータ部７４から供給される光Ｌ３の光量を表すデジタル信号と、Ａ／Ｄコンバータ部７５から供給される波長変換素子１４の温度を表すデジタル信号と、パルス電流Ｉ２の電圧と、に基づいて、パルス電流Ｉ２の波形（ＯＮの時間とＯＦＦの時間の長さ）の目標値を決定する。パルス電流Ｉ２の波形の目標値は、たとえば、レーザダイオード１２の寿命ができるだけ長くなるように決定される。そして、演算回路７２は、パルス電流Ｉ２の波形の目標値を表すデジタル信号を第１のＰＷＭ制御部７６に送る。
【００４５】
第１のＰＷＭ制御部７６は、演算回路７２から受け取ったデジタル信号に基づいて、アナログのパルス幅を持つパルス信号Ａｃ２を生成する。そして、第１のＰＷＭ制御部７６は、パルス信号Ａｃ２を第１のスイッチ回路２０に供給する。その結果、第１のスイッチ回路２０は、パルス信号Ａｃ２に応じて直流電流Ｉ３をＯＮおよびＯＦＦし、演算回路７２が決定したＯＮの時間とＯＦＦの時間の長さを有するパルス電流Ｉ２を実現する。
【００４６】
このような処理を行うことにより、波長変換素子１４の状態を考慮しつつ、レーザダイオード１２をパルス駆動するパルス電流Ｉ２の波形（ＯＮの時間とＯＦＦの時間の長さ）を決定することができる。
【００４７】
また、演算回路７２は、Ａ／Ｄコンバータ部７４から供給される光Ｌ３の光量を表すデジタル信号と、Ａ／Ｄコンバータ部７５から供給される波長変換素子１４の温度を表すデジタル信号と、パルス電流Ｉ２の電圧と、パルス電流Ｉ２の波形（ＯＮの時間とＯＦＦの時間の長さ）の目標値と、に基づいて、直流電流Ｉ３の電圧の目標値を決定する。直流電流Ｉ３の電圧の目標値は、たとえば、すでに決定されているパルス電流Ｉ２のＯＮの時間とＯＦＦの時間の長さの目標値を前提として、光射出部１０から射出される光Ｌ３の光量が一定となるように、決定される。そして、演算回路７２は、直流電流Ｉ３の電圧の目標値を表すデジタル信号を第２のＰＷＭ制御部７７に送る。
【００４８】
第２のＰＷＭ制御部７７は、演算回路７２から受け取ったデジタル信号に基づいて、アナログのパルス幅を持つパルス信号Ａｃ４を生成する。そして、第２のＰＷＭ制御部７７は、パルス信号Ａｃ４を第２のスイッチ回路３２に供給する。その結果、第２のスイッチ回路３２は、パルス信号Ａｃ４に応じて直流電流Ｉ５をＯＮおよびＯＦＦし、パルス電流Ｉ４を生成する。
【００４９】
パルス電流Ｉ４の波形は、演算回路７２が決定した目標電圧を有する直流電流Ｉ３を実現できる波形である。すなわち、第２のＰＷＭ制御部７７が演算回路７２から受け取るデジタル信号は、演算回路７２が決定した目標電圧を有する直流電流Ｉ３を実現できるように、演算回路７２によって定められている。言い換えれば、第２のＰＷＭ制御部７７および第２のスイッチ回路３２によって、直流電流Ｉ３の電圧、ひいてはパルス電流Ｉ２の電圧を対象とするＰＷＭ制御が行われる。
【００５０】
このような処理を行うことにより、レーザダイオード１２の寿命が長くなるようなＯＮの時間とＯＦＦの時間の長さを有するパルス電流Ｉ２の下で、レーザ光Ｌ３の光量が一定となるようにレーザダイオード１２を駆動することができる。すなわち、パルス電流Ｉ２の波形および電圧と、波長変換素子１４の状態と、を考慮しつつ、レーザ光Ｌ３の光量が一定となるようにレーザダイオード１２を駆動することができる。
【００５１】
さらに、演算回路７２は、Ａ／Ｄコンバータ部７４から供給される光Ｌ３の光量を表すデジタル信号と、Ａ／Ｄコンバータ部７５から供給される波長変換素子１４の温度を表すデジタル信号と、パルス電流Ｉ２の電圧と、に基づいて、波長変換素子１４に加える熱量を決定する。そして、演算回路７２は、その熱量を表すデジタル信号を第３のＰＷＭ制御部７８に送る。
【００５２】
第３のＰＷＭ制御部７８は、演算回路７２から受け取ったデジタル信号に基づいて、アナログのパルス信号Ａｃ６を生成する。そして、第３のＰＷＭ制御部７８は、パルス信号Ａｃ６を温度制御部６０に供給する。その結果、温度制御部６０は、電力を供給され、パルス信号Ａｃ６に応じてヒータ６２に流す電流をＯＮおよびＯＦＦし、波長変換素子１４を加熱する。すなわち、温度制御部６０は、ヒータ６２をＰＷＭ制御することにより、演算回路７２が決定した量の熱を波長変換素子１４に加える。その結果、波長変換素子１４は、約９０度Ｃ前後に保たれる。
【００５３】
前述のように、環境温度が変化したり、波長変換素子１４自身が発熱することによって、波長変換素子１４は、１／２波長の光を取り出すことができなくなる。また、最も効率よく１／２波長の光を取り出すことができる温度は、製造誤差によって個々の波長変換素子１４ごとに微妙に異なる。
【００５４】
しかし、本実施例では、波長変換素子１４の温度に加えて光Ｌ３の光量とパルス電流Ｉ２の電圧をモニタして、それらに基づいて波長変換素子１４の温度を制御している。このため、１／２波長の光を取り出すのに最も効率の良い温度に波長変換素子１４を保つことができる。
【００５５】
Ａ２．ＤＳＰについて：
デジタルシグナルプロセッサ（ＤＳＰ：Digital Signal Processor）は、アナログ信号を受け取って、そのアナログ信号を内部でデジタル処理し、そのデジタル処理の結果に基づいて別のアナログ信号を出力することができる１チップのデバイスである。ＤＳＰは、一般に、特定の用途向けに設計され、製造される。
【００５６】
第１実施例において使用されるＤＳＰ７０は、直流電流を制御するためのＤＳＰである。そのようなＤＳＰは、直流電流の電圧をモニタし、その直流電流の電圧を目標の値に制御するという機能を奏する。
【００５７】
また、多チャンネルのＤＳＰは、複数の直流電流について、それぞれ電圧を制御することができる。たとえば、３チャンネルのＤＳＰは、直流電流Ｉａの電圧をモニタして直流電流Ｉａの電圧が目標の値となるように制御を行い、直流電流Ｉｂの電圧をモニタして直流電流Ｉｂの電圧が目標の値となるように制御を行い、直流電流Ｉｃの電圧をモニタして直流電流Ｉｃの電圧が目標の値となるように制御を行う機能を奏する。第１実施例において使用されるＤＳＰ７０は、そのような多チャンネルの直流電流制御用のＤＳＰである。
【００５８】
そのような多チャンネルの直流電流制御用のＤＳＰにおいては、ＤＳＰが受信する信号は制御対象の情報を有する信号である。そして、ＤＳＰは、その信号に基づいて制御対象を制御する。すなわち、多チャンネルの直流電流制御用のＤＳＰにおいては、モニタする対象と制御する対象は一致する。これに対し、第１実施例において使用されるＤＳＰ７０は、制御対象と、モニタする対象とが一致するわけではない。
【００５９】
すなわち、第１実施例の光源装置１においては、パルス電流Ｉ２の電圧Ｖ２に加えて、光Ｌ３の光量、および波長変換素子１４の温度をモニタして、パルス電流Ｉ２のＯＮの時間とＯＦＦの時間の長さ、ならびに直流電流Ｉ２の電圧Ｖ２を制御している。また、波長変換素子１４の温度に加えて、光Ｌ３の光量、およびパルス電流Ｉ２のの電圧Ｖ２をモニタして、波長変換素子１４の温度を制御している。
【００６０】
ＤＳＰは、用途に応じて、処理させる内容をプログラムすることが可能である。第１実施例において使用されるＤＳＰ７０は、多チャンネルの直流電流制御用のＤＳＰにおいて、通常の多チャンネルの直流電流制御とは異なる処理を行うようにプログラムすることにより、上記のような機能を発揮できる。
【００６１】
Ａ３．比較例：
図２は、比較例の光源装置１ｃの構成を示すブロック図である。比較例の光源装置１ｃは、ＤＳＰ７０に代わる構成要素としてＣＰＵ１００等の複数の構成要素を有している。そして、光源装置１ｃにおいて、光射出部１０と、第１のスイッチ回路２０と、ＤＣ／ＤＣコンバータ３０と、ＡＣ／ＤＣ電源装置４０と、光センサ５０と、温度制御部６０を含む他の構成は、第１実施例の光源装置１と同じである。なお、以下では、第１実施例における構成と同じ構成については、第１実施例と同じ符号を使用する。また、第１実施例における信号と同じ信号についても、第１実施例と同じ符号を使用する。
【００６２】
光源装置１ｃは、演算回路７２に代わる構成として独立のＣＰＵ（Central Processing Unit ）１００を有している。また、光源装置１ｃは、パルス発生器８０，８１と、ＤＣ／ＤＣコンバータ用制御ＩＣ９０とを有している。
【００６３】
さらに、光源装置１ｃは、ＣＰＵ１００に入力すべき信号をアナログからデジタルに変換するための、Ａ／Ｄコンバータ５２，５７，９２を備えている。そして、光源装置１ｃは、ＣＰＵ１００から出力される信号をデジタルからアナログに変換するためのＤ／Ａコンバータ１０２，１０４，１０６を備えている。
【００６４】
Ａ／Ｄコンバータ５２は、光センサ５０によって出力され光Ｌ３の光量を表すアナログ信号Ａｓ１をデジタル信号Ｄｓ１に変換する。そして、Ａ／Ｄコンバータ５２は、デジタル信号Ｄｓ１をＣＰＵ１００に送る。なお、図２において、デジタル信号は一点鎖線で示す。
【００６５】
Ａ／Ｄコンバータ５７は、温度センサ６４によって出力され波長変換素子１４の温度を表すアナログ信号Ａｓ２をデジタル信号Ｄｓ２に変換する。そして、Ａ／Ｄコンバータ５７は、デジタル信号Ｄｓ２をＣＰＵ１００に送る。
【００６６】
Ａ／Ｄコンバータ９２は、ＤＣ／ＤＣコンバータ用制御ＩＣ９０によって出力されパルス電流Ｉ２の電圧Ｖ２を表すアナログ信号Ａｓ４をデジタル信号Ｄｓ４に変換する。そして、Ａ／Ｄコンバータ９２は、デジタル信号Ｄｓ４をＣＰＵ１００に送る。
【００６７】
ＣＰＵ１００は、デジタル信号の入力を受け取ってデジタル演算を行い、デジタル信号を出力する１チップのデバイスである。ＣＰＵ１００は、ＣＰＵ１００は、和演算を行うことができるが、乗算を行うことはできない。
【００６８】
ＣＰＵ１００は、光Ｌ３の光量を表すデジタル信号Ｄｓ１と、波長変換素子１４の温度を表すデジタル信号Ｄｓ２と、パルス電流Ｉ２の電圧を表すデジタル信号Ｄｓ４と、に基づいて、パルス電流Ｉ２の波形（ＯＮの時間とＯＦＦの時間の長さ）の目標値を決定する。パルス電流Ｉ２の波形の目標値は、第１実施例の光源装置１の場合と同様、たとえば、レーザダイオード１２の寿命ができるだけ長くなるように決定される。そして、ＣＰＵ１００は、パルス電流Ｉ２の波形の目標値を表すデジタル信号Ｄｃ１を出力する。
【００６９】
Ｄ／Ａコンバータ１０２は、ＣＰＵ１００からデジタル信号Ｄｃ１を受け取って、アナログ信号Ａｃ１に変換する。アナログ信号Ａｃ１は、パルス発生器８０に送られる。
【００７０】
パルス発生器８０は、アナログ信号Ａｃ１に基づいて、アナログのパルス幅を持つパルス信号Ａｃ２を生成する。そして、パルス発生器８０は、パルス信号Ａｃ２を第１のスイッチ回路２０に供給する。その結果、第１のスイッチ回路２０は、パルス信号Ａｃ２に応じて直流電流Ｉ３をＯＮおよびＯＦＦし、ＣＰＵ１００が決定したＯＮの時間とＯＦＦの時間の長さを有するパルス電流Ｉ２を実現する。
【００７１】
また、ＣＰＵ１００は、光Ｌ３の光量を表すデジタル信号Ｄｓ１と、波長変換素子１４の温度を表すデジタル信号Ｄｓ２と、パルス電流Ｉ２の電圧と、パルス電流Ｉ２の波形（ＯＮの時間とＯＦＦの時間の長さ）の目標値と、に基づいて、直流電流Ｉ３の電圧の目標値を決定する。直流電流Ｉ３の電圧の目標値は、第１実施例の光源装置１の場合と同様、たとえば、すでに決定されたパルス電流Ｉ２のＯＮの時間とＯＦＦの時間の長さを前提として、光射出部１０から射出される光Ｌ３の光量が一定となるように、決定される。そして、ＣＰＵ１００は、直流電流Ｉ３の電圧の目標値を表すデジタル信号Ｄｃ３を出力する。
【００７２】
Ｄ／Ａコンバータ１０４は、ＣＰＵ１００からデジタル信号Ｄｃ３を受け取って、アナログ信号Ａｃ３に変換する。アナログ信号Ａｃ３は、ＤＣ／ＤＣコンバータ用制御ＩＣ９０に送られる。
【００７３】
ＤＣ／ＤＣコンバータ用制御ＩＣ９０は、直流電流を制御するためのＩＣである。ＤＣ／ＤＣコンバータ用制御ＩＣ９０は、Ｄ／Ａコンバータ１０４からアナログ信号Ａｃ３を受け取る。また、ＤＣ／ＤＣコンバータ用制御ＩＣ９０は、パルス電流Ｉ２の電圧Ｖ２をモニタしている。
【００７４】
ＤＣ／ＤＣコンバータ用制御ＩＣ９０は、アナログ信号Ａｃ３とパルス電流Ｉ２の電圧Ｖ２に基づいて、アナログのパルス幅を持つパルス信号Ａｃ４を生成する。そして、ＤＣ／ＤＣコンバータ用制御ＩＣ９０は、パルス信号Ａｃ４を第２のスイッチ回路３２に供給する。その結果、第２のスイッチ回路３２は、パルス信号Ａｃ４に応じて直流電流Ｉ５をＯＮおよびＯＦＦし、パルス電流Ｉ４を生成する。
【００７５】
パルス電流Ｉ４の波形は、ＣＰＵ１００が決定した目標電圧を有する直流電流Ｉ３を実現できる波形である。すなわち、ＣＰＵ１００が出力するデジタル信号Ｄｃ３は、ＣＰＵ１００が決定した目標電圧を有する直流電流Ｉ３を実現できるように、ＣＰＵ１００によって定められている。
【００７６】
また、ＤＣ／ＤＣコンバータ用制御ＩＣ９０は、パルス電流Ｉ２の電圧Ｖ２に基づいて、パルス電流Ｉ２の電圧Ｖ２を表すアナログ信号Ａｓ４を出力する。アナログ信号Ａｓ４は、前述のとおり、Ａ／Ｄコンバータ９２によってデジタル信号Ｄｓ４に変換され、ＣＰＵ１００に送られる。
【００７７】
さらに、ＣＰＵ１００は、光Ｌ３の光量を表すデジタル信号Ｄｓ１と、波長変換素子１４の温度を表すデジタル信号Ｄｓ２と、パルス電流Ｉ２の電圧Ｖ２を表すアナログ信号Ｄｓ４と、に基づいて、波長変換素子１４に加える熱量を決定する。そして、ＣＰＵ１００は、熱量を表すデジタル信号Ｄｃ５を出力する。
【００７８】
Ｄ／Ａコンバータ１０６は、ＣＰＵ１００からデジタル信号Ｄｃ５を受け取って、アナログ信号Ａｃ５に変換する。アナログ信号Ａｃ５は、パルス発生器８１に送られる。
【００７９】
パルス発生器８１は、アナログ信号Ａｃ５に基づいて、アナログのパルス幅を持つパルス信号Ａｃ６を生成する。そして、パルス発生器８１は、パルス信号Ａｃ６を温度制御部６０に供給する。その結果、温度制御部６０は、アナログ信号Ａｃ５に応じてヒータ６２に流す電流をＯＮおよびＯＦＦし、波長変換素子１４を加熱する。すなわち、温度制御部６０は、ヒータ６２をＰＷＭ制御することにより、ＣＰＵ１００が決定した量の熱を波長変換素子１４に加える。その結果、波長変換素子１４は、約９０度Ｃ前後に保たれる。
【００８０】
Ａ４．第１実施例と比較例の比較：
比較例の光源装置１ｃにおいては、光Ｌ３の光量の情報を有するアナログ信号Ａｓ１が生成されてから、そのアナログ信号Ａｓ１に基づいて、第１のスイッチ回路２０を動作させるためのパルス信号Ａｃ２が生成されるまでに、Ａ／Ｄコンバータ５２、ＣＰＵ１００、Ｄ／Ａコンバータ１０２、パルス発生器８０を経ている。これに対して、第１実施例の光源装置１においては、同様にアナログ信号Ａｓ１からパルス信号Ａｃ２が生成されるまでに、１チップで構成されるＤＳＰ７０を経るのみである。
【００８１】
同様に、比較例の光源装置１ｃにおいては、波長変換素子１４の温度の情報を有するアナログ信号Ａｓ２が生成されてから、そのアナログ信号Ａｓ２に基づいて、第１のスイッチ回路２０を動作させるためのパルス信号Ａｃ２が生成されるまでに、Ａ／Ｄコンバータ５７、ＣＰＵ１００、Ｄ／Ａコンバータ１０２、パルス発生器８０を経ている。これに対して、第１実施例の光源装置１においては、同様にアナログ信号Ａｓ２からパルス信号Ａｃ２が生成されるまでに、１チップで構成されるＤＳＰ７０を経るのみである。
【００８２】
また、比較例の光源装置１ｃにおいては、光Ｌ３の光量の情報を有するアナログ信号Ａｓ１が生成されてから、そのアナログ信号Ａｓ１に基づいて、第２のスイッチ回路３２を動作させるためのパルス信号Ａｃ４が生成されるまでに、Ａ／Ｄコンバータ５２、ＣＰＵ１００、Ｄ／Ａコンバータ１０４、ＤＣ／ＤＣコンバータ用制御ＩＣ９０を経ている。これに対して、第１実施例の光源装置１においては、同様にアナログ信号Ａｓ１からパルス信号Ａｃ４が生成されるまでに、１チップで構成されるＤＳＰ７０を経るのみである。
【００８３】
同様に、比較例の光源装置１ｃにおいては、波長変換素子１４の温度の情報を有するアナログ信号Ａｓ２が生成されてから、そのアナログ信号Ａｓ２に基づいて、第２のスイッチ回路３２を動作させるためのパルス信号Ａｃ４が生成されるまでに、Ａ／Ｄコンバータ５７、ＣＰＵ１００、Ｄ／Ａコンバータ１０２、ＤＣ／ＤＣコンバータ用制御ＩＣ９０を経ている。これに対して、第１実施例の光源装置１においては、同様にアナログ信号Ａｓ２からパルス信号Ａｃ４が生成されるまでに、１チップで構成されるＤＳＰ７０を経るのみである。
【００８４】
温度制御部６０を動作させるためのパルス信号Ａｃ６の生成についても、同様のことがいえる。
【００８５】
すなわち、第１実施例の光源装置１は、センサ等から情報が取り込まれてから制御のための信号が生成されるまでに情報が経由する構成が、比較例の光源装置１ｃにくらべて少ない。このため、第１実施例の光源装置１は、比較例の光源装置１ｃにくらべて高速にパルス電流Ｉ２の制御を行うことができる。
【００８６】
そして、同様の理由から、変換する回数が少なくなるため制御信号のパルスの波形を、正確に各回路に伝えることができる。このため、第１実施例の光源装置１は、比較例の光源装置１ｃにくらべてより正確な制御を行うことができる。
【００８７】
また、Ａ／Ｄコンバータ５２，５７，９２で行われるＡ／Ｄ変換、ならびにＤ／Ａコンバータ１０２，１０４，１０６で行われるＤ／Ａ変換には、光源装置１ｃにおける他の処理に比べて時間を要する。しかし、第１実施例の光源装置１は、光射出部１０に供給する電流Ｉ２および波長変換素子１４の温度の制御において、Ａ／ＤコンバータおよびＤ／Ａコンバータによらずに、ＤＳＰで処理を行っている。よって、この点からも、第１実施例の光源装置１は、比較例の光源装置１ｃにくらべて高速にパルス電流Ｉ２の制御を行うことができる。
【００８８】
さらに、第１のスイッチ回路２０と第２のスイッチ回路３２とは応答速度が異なる。このため、制御のサイクルは、第１のスイッチ回路２０と第２のスイッチ回路３２との応答時間の差を見込んで、余裕をもって設定されている。第１実施例の光源装置１は、比較例の光源装置１ｃに比べて全体について速いサイクルで制御を行うことができる。このため、第１実施例の光源装置１においては、第１のスイッチ回路２０と第２のスイッチ回路３２との応答速度の差を吸収するために設定されている余裕時間を、比較例の光源装置１ｃに比べて短くすることができる。よって、この点からも、第１実施例の光源装置１は、比較例の光源装置１ｃにくらべて速いサイクルでパルス電流Ｉ２の制御を行うことができる。
【００８９】
また、ＣＰＵ１００は、乗算を行うことができず、和演算によって各種の処理を行う。これに対して、ＤＳＰ７０の演算回路７２は、乗算を使用して各種の処理を行うことができる。よって、この点からも第１実施例の光源装置１は、比較例の光源装置１ｃにくらべて高速にパルス電流Ｉ２の制御を行うことができる。
【００９０】
Ｂ．第２実施例：
図３は、第２実施例のプロジェクタＰＪの概略構成を示す説明図である。第２実施例のプロジェクタＰＪは、明るさが異なる画素ごとの光で画像を表示することができる。プロジェクタＰＪは、照明光学系１１０Ｒ，１１０Ｇ，１１０Ｂと、液晶ライトバルブ１２０Ｒ，１２０Ｇ，１２０Ｂと、クロスダイクロイックプリズム１３０と、投写光学系１４０と、を備えている。また、プロジェクタＰＪは、光センサ５０Ｒ，５０Ｇ，５０Ｂと、各部を制御する制御部１７０と、を備えている。
【００９１】
照明光学系１１０Ｒは赤色光を射出するための照明光学系である。照明光学系１１０Ｇは緑色光を射出するための照明光学系である。照明光学系１１０Ｂは青色光を射出するための照明光学系である。各照明光学系１１０Ｒ，１１０Ｇ，１１０Ｂは、光射出部１０Ｒ，１０Ｇ，１０Ｂ、温度制御部６０Ｒ，６０Ｇ，６０Ｂ、ならびに光学素子１１２Ｒ，１１２Ｇ，１１２Ｂを備えている。
【００９２】
光射出部１０Ｒ，１０Ｇ，１０Ｂは、第１実施例の光射出部１０とほぼ同様の構成を有する。ただし、光射出部１０Ｒ，１０Ｇ，１０Ｂが射出するコヒーレント光Ｌ３は、それぞれ、赤色光、緑色光、青色光である。光射出部１０Ｒ，１０Ｇ，１０Ｂの他の点は、第１実施例で説明した光射出部１０と同じである。
【００９３】
温度制御部６０Ｒ，６０Ｇ，６０Ｂは、それぞれ第１実施例の温度制御部６０と同じ構成を有する。温度制御部６０Ｒは、光射出部１０Ｒの波長変換素子１４の温度を制御する。温度制御部６０Ｇは、光射出部１０Ｇの波長変換素子１４の温度を制御する。温度制御部６０Ｂは、光射出部１０Ｂの波長変換素子１４の温度を制御する。
【００９４】
制御部１７０は、照明光学系１１０Ｒ，１１０Ｇ，１１０Ｂにそれぞれ対応する３組の構成であって、それぞれ第１のスイッチ回路２０と、ＤＣ／ＤＣコンバータ３０と、ＡＣ／ＤＣ電源装置４０と、ＤＳＰ７０と含む３組の構成を備えている（図示せず）。第１の組の構成は、照明光学系１１０Ｒの光射出部１０Ｒおよび温度制御部６０Ｒを制御する。第２の組の構成は、照明光学系１１０Ｇの光射出部１０Ｇおよび温度制御部６０Ｇを制御する。第３の組の構成は、照明光学系１１０Ｂの光射出部１０Ｂおよび温度制御部６０Ｂを制御する。その結果、照明光学系１１０Ｒ，１１０Ｇ，１１０Ｂから、それぞれ所定量の赤色光、緑色光、青色光が射出される。
【００９５】
なお、制御部１７０の第１〜第３の組の構成が備える、第１のスイッチ回路２０と、ＤＣ／ＤＣコンバータ３０と、ＡＣ／ＤＣ電源装置４０と、ＤＳＰ７０とは、第１実施例の第１のスイッチ回路２０と、ＤＣ／ＤＣコンバータ３０と、ＡＣ／ＤＣ電源装置４０と、ＤＳＰ７０と同じ構成および機能を有する。ただし、それら３組の構成は、照明光学系１１０Ｒ，１１０Ｇ，１１０Ｂが、それぞれ所定量の赤色光、緑色光、青色光を射出できるように、互いに異なる制御パラメータにしたがって、照明光学系１１０Ｒ，１１０Ｇ，１１０Ｂを制御する。
【００９６】
液晶ライトバルブ１２０Ｒは照明光学系１１０Ｒから射出された赤色光を変調するための赤色光用液晶ライトバルブである。液晶ライトバルブ１２０Ｇは照明光学系１１０Ｇから射出された緑色光を変調するための緑色光用液晶ライトバルブである。液晶ライトバルブ１２０Ｂは照明光学系１１０Ｂから射出された青色光を変調するための青色光用液晶ライトバルブである。
【００９７】
より具体的には、液晶ライトバルブ１２０Ｒは、制御部１７０から供給されるアナログ画像データ（本明細書において「色データ」とも呼ぶ）に基づいて、液晶の画素ごとに駆動電圧を印可する。すると、液晶ライトバルブ１２０Ｒの各画素に対応する液晶は、印加される駆動電圧に応じた量の光を通過させる。液晶ライトバルブ１２０Ｒは、そのようにして、照明光学系１１０Ｒから射出された赤色光を変調する。
【００９８】
液晶ライトバルブ１２０Ｇ，１２０Ｂも同様の機能を有する。その結果、各液晶ライトバルブ１２０Ｒ，１２０Ｇ，１２０Ｂから、各色の画像を表す光（画像光）が射出される。制御部１７０は、液晶ライトバルブ１２０Ｒ，１２０Ｇ，１２０Ｂに、それぞれ赤色、緑色、青色のアナログ画像データを供給する。
【００９９】
クロスダイクロイックプリズム１３０は、３つの液晶ライトバルブ１２０Ｒ，１２０Ｇ，１２０Ｂから射出された３色の画像光を合成する。投写光学系１４０は、合成済みの画像光をスクリーン上に投写して、スクリーン上にカラー画像（合成済み画像）を形成する。
【０１００】
光センサ５０Ｒは、照明光学系１１０Ｒの光学素子１１２Ｒの近傍であって、光学素子１１２Ｒから射出され画像の投射に使用される画像光の光路の外に設けられている。そして、光センサ５０Ｒは、光学素子１１２Ｒから射出された光のうち、画像の投射に使用されない一部の光（散乱光）が入射するように配置されている。この光センサ５０Ｒは、たとえば、光学素子１１２Ｒのひとみ位置の散乱光を測定できる位置に設けられることが好ましい。光センサ５０Ｇ，１５０Ｂも、光センサ５０Ｒと同様の構成を有し、それぞれ照明光学系１１０Ｇ，１１０Ｂに対して、光センサ５０Ｒが照明光学系１１０Ｒに対するのと同様の配置を有する。
【０１０１】
なお、図３では、便宜上、光射出部１０Ｒと、光センサ５０Ｒと、温度制御部６０Ｒと、液晶ライトバルブ１２０Ｒと、制御部１７０と、の間の信号の遣り取りのみが示されている。しかし、他の光射出部１０Ｇ，１０Ｂ、光センサ５０Ｇ，５０Ｂ、温度制御部６０Ｇ，６０Ｂ、ならびに液晶ライトバルブ１２０Ｇ，１２０Ｂと、制御部１７０との間でも、同様に信号が遣り取りされる。
【０１０２】
第２実施例のプロジェクタは、光源装置として第１実施例の光源装置と略同様の構成を有する光源装置を備える。このため、第２実施例のプロジェクタは、画像を投射するための赤色光、緑色光、青色光の光量や色味が変化しにくい。すなわち、第２実施例のプロジェクタは、安定した品質の投射画像を提供することができる。
【０１０３】
Ｃ．変形例：
なお、この発明は上記の実施例や実施形態に限られるものではなく、その要旨を逸脱しない範囲において種々の態様において実施することが可能であり、例えば次のような変形も可能である。
【０１０４】
Ｃ１．変形例１：
上記第１実施例では、光Ｌ３の光量は一定に制御される。しかし、本発明の一態様としての光源装置においては、時間軸に沿って異なる光量の目標値を与えられ、その光量の目標値を実現するように光射出部を駆動することもできる。
【０１０５】
Ｃ２．変形例２：
上記第１実施例においては、
光Ｌ３の光量と、波長変換素子１４の温度と、パルス電流Ｉ２の電圧と、に基づいて、パルス電流Ｉ２の波形（ＯＮの時間とＯＦＦの時間の長さ）の目標値が決定される。しかし、パルス電流Ｉ２のＯＮの時間とＯＦＦの時間の長さの目標値は、光Ｌ３の光量と、波長変換素子１４の温度と、パルス電流Ｉ２の電圧と、のうちの１以上の任意の要素に基づいて決定することができる。
【０１０６】
また、光Ｌ３の光量と、波長変換素子１４の温度と、パルス電流Ｉ２の電圧と、パルス電流Ｉ２の波形（ＯＮの時間とＯＦＦの時間の長さ）の目標値と、に基づいて、直流電流Ｉ３の電圧の目標値が決定される。しかし、直流電流Ｉ３の電圧の目標値は、光Ｌ３の光量と、波長変換素子１４の温度と、パルス電流Ｉ２の電圧と、パルス電流Ｉ２の波形（ＯＮの時間とＯＦＦの時間の長さ）の目標値と、のうちの１以上の任意の要素に基づいて決定することができる。
【０１０７】
さらに、光Ｌ３の光量と、波長変換素子１４の温度と、パルス電流Ｉ２の電圧と、に基づいて、波長変換素子１４に加える熱量が決定される。波長変換素子１４に加える熱量は、
光Ｌ３の光量と、波長変換素子１４の温度と、パルス電流Ｉ２の電圧と、のうちの１以上の任意の要素に基づいて決定することができる。
【０１０８】
Ｃ３．変形例３：
上記実施例においては、波長変換素子１４は、セラミック結晶の分極層体である。しかし、波長変換素子は他の素材で設けたり、他の構成とすることもできる。また、上記実施例においては、波長変換素子１４は、２次高調波を生成することによって、半分の波長の光を生成する。しかし、波長変換素子１４は、より高次の高調波を生成するものとすることもできる。ただし、本発明の一態様としての波長変換素子の温度制御は、環境温度が変化したり、波長変換素子自身が発熱することによって、変換効率が大きく変動する波長変換素子に対して適用することが効果的である。
【０１０９】
Ｃ４．変形例４：
上記第２実施例のプロジェクタは、画像を形成するための構成として、液晶ライトバルブ（液晶パネル）１２０Ｒ，１２０Ｇ，１２０Ｂを有している。しかし、本発明の一態様である光源装置を適用したプロジェクタは、液晶パネルに代えて、マイクロミラーデバイスを有するプロジェクタとすることもできる。マイクロミラーデバイスは、複数行×複数列に配されたミラーの角度および反射回数（反射期間）を制御して光源からの光を反射することにより、反射光において各画素における色の濃度を実現するデバイスである。
【０１１０】
また、本発明の一態様である光源装置を適用したプロジェクタは、スキャン(走査)型のプロジェクタとすることもできる。
【０１１１】
Ｃ５．変形例５：
上記第２実施例では、第１実施例の光源装置をプロジェクタに適用した例を示した。しかし、本発明の光源装置は、他の装置に適用することもできる。たとえば、人間や動物の体内を見るための内視鏡の照明のための光源に適用することができる。
【図面の簡単な説明】
【０１１２】
【図１】本発明の一実施形態である光源装置１の構成を示すブロック図。
【図２】比較例の光源装置１ｃの構成を示すブロック図。
【図３】第２実施例のプロジェクタＰＪの概略構成を示す説明図。
【符号の説明】
【０１１３】
１，１ｃ...光源装置
１０，１０Ｒ，１０Ｇ，１０Ｂ...光射出部
１２...レーザダイオード
１４...波長変換素子
１６...外部共振器
２０...第１のスイッチ回路
３０...ＤＣ／ＤＣコンバータ
３２...第２のスイッチ回路
３４...フィルター回路
４０...ＡＣ／ＤＣ電源装置
４０...制御回路
５０...光センサ
５２，５７，９２...Ａ／Ｄコンバータ
６０，６０Ｒ，６０Ｇ，６０Ｂ...温度制御部
６２...ヒータ
６４...温度センサ
７０...ＤＳＰ（Digital Signal Processor）
７２...演算回路
７４，７５...Ａ／Ｄコンバータ部
７６，７７，７８...ＰＷＭ制御部
８０，８１...パルス発生器
９０...ＤＣ／ＤＣコンバータ用制御ＩＣ
１００...ＣＰＵ
１０２，１０４，１０６...Ｄ／Ａコンバータ
１１０Ｒ，１１０Ｇ，１１０Ｂ...照明光学系
１２０Ｒ，１２０Ｇ，１２０Ｂ...液晶ライトバルブ
１３０...クロスダイクロイックプリズム
１４０...投写光学系
１７０...制御部
Ａｃ１〜Ａｃ６...アナログ信号
Ａｓ１，２，４...アナログ信号
Ｄｃ１，３，５...デジタル信号
Ｄｓ１，２，４...デジタル信号
Ｉ２，Ｉ４...パルス電流
Ｉ３，Ｉ５...直流電流
Ｌ１...赤外光
Ｌ２...光
Ｌ３...レーザ光
ＰＪ...プロジェクタ
Ｖ２...パルス電流Ｉ２の電圧
Ｖ３...直流電流Ｉ３の電圧
【図１】
2008192864.tif 000003
【図２】
2008192864.tif 000004
【図３】
2008192864.tif 000005